(57)【要約】【課題】出版用ではなく小部数装丁のための表紙を体裁良く作り、装丁する方法はいろいろあるが大部分は如何にも素人が作ったとわかる装丁が大部分だった。本格的な装丁と見間違う装丁にするために、効率も考慮すれば本の厚さで位置が変えられ、然も何も印刷していない、何の印もない裏側から２又は４本の折線を一度に正確な位置に連続して引き、本の背の部分がきれいな直角になることが求められる。【解決手段】裏面から鏡を使って位置確認出来る台に、複数の折線引き針の位置が変えられる折線引きツールが直線的に正確にスライド移行出来るアームを設置することにより解決。【選択図】図３
2007181997.tif 000002
【特許請求の範囲】
【請求項１】
ハンドル（１）を設けた本体固定部分（２）の底部分に、外に出ている長さがほぼ等寸法で先が細く丸くなっている凸部（３）を２本設け、その固定部分と接続し本の厚さにより平行移動できる（３）と同じ（４）を２本を設けた可動部分（５）で折線引き具（図１）を構成し、その折線引き具を直線的にスライドさせるための２本のアーム（１３）を、位置決め用マーキング（１１）付きの透明板（１０）を有する台（７）に設置、そのアームに直角な位置に用紙を定位置で止めるための凸部（８）と、その凸部にスライド移動できるもう一方の用紙止め（９）を設け、更に折線を引く時の用紙押さえ（１４）を設置し、表紙を裏側から位置を確認するための鏡（１２）を設けた（図３）小部数装丁表紙の折線引き具
【請求項２】
台に取り付けられている用紙押さえ（１４）が、バネなどで跳ね上がる構造で、それを止めている用紙押さえ用ストッパー（２１）を解除すことにより自動的に跳ね上がる請求項１の小部数装丁表紙の折線引き具
【請求項３】
折線引き部分（図１）にある先が細く丸くなっている凸部（３）（４）の取り外しが可能で、ネジを使用し長さの微調整が可能な請求項１の小部数装丁表紙の折線引き具
【請求項４】
折線引き具（図１）に連動するモーターとベルトを設けた請求項１の小部数装丁表紙の折線引き具
【発明の詳細な説明】
【技術分野】
【０００１】
本発明は小部数の本の表紙装丁に必要な、印刷のない面に正確に、しかも位置が変えられる複数本の折線を一度に簡単に引くツールに関するものである。
【背景技術】
【０００２】
厚紙を使ってある程度厚みのある本の表紙を付ける方法はいろいろあるが、小部数で本として販売できる程度の装丁に仕上げるには表紙に折線を付け折曲げ、綴じた本の背部分に貼り付けるのが良い、と考えた。しかしそれには印刷のない、何の当たりもない裏面に、表のデザインにもよるが正確に折れ線を引く必要があり、かなり面倒で市販品を調べたが一本引くだけの機械が１０万円もすることもわかった。
【発明の開示】
【発明が解決しようとする課題】
【０００３】
（Ａ）何も印刷していない表紙の裏面に引く折れ線の正確な位置決め
（Ｂ）本の厚さにより位置が変えられ、一度に２本又は４本直線的に引くことが出来る必要がある。
本発明は、以上の両問題点を一度に解決するために考案したものである。
【課題を解決するための手段】
【０００４】
何も印刷されてない面に正確に折線位置を決めるために、表を上にして位置を決め、挟んだまま裏返し、裏返しの状態で連続作業を考えて実際にやってみたところ、残念ながら専門的な印刷機を使わない限り、特に刷り始めや用紙補充時に微妙にずれることがある事がわかりこの方式は諦め、台に印を付けた透明板と鏡を使い裏側の印刷面が見えるようにして印刷面で折線位置を決め、左の用紙止め（９）を紙の端に合わせ止め、大部分は一度決めた位置を紙止めを頼りに決め、更に正確な位置が必要なデザインの表紙の場合は鏡で確認しながら位置を決める方式に変更した。
【０００５】
まず先が細く先端が丸くなっている（図では太い針）２本埋め込んだブロック２個を造り、その位置が平行移動して針と針との間隔が変えられるものを作る必要があった。そのために一方にハンドルを付け固定とし、太いネジで繋ぎ、そのネジを回転させることにより二つの距離が変えられるようにした。それを一つのブロックとして、上記の台に直線スライド移動するための２本のアームを設けた。
【発明の効果】
【０００６】
片面印刷してある表紙を裏返すと何も印刷してない面になり、何処に折線を引いたら良いのか全くわからない。そこで台とアームの間に挟むと台にある印（図では線）の付いた透明板を鏡を通して見ることにより折線を引く位置を決めることが出来る（図４）位置決め用の線と引きたい場所を合わせることにより曲がりも確認できる。そこで紙を挟み固定し、左側にあるスライドさせて決める用紙止めで位置をほぼ決定、次からはその用紙止めを使い位置を決め紙を挟み固定、アームにスライドさせ４本又は２本の線を一度に引くことが出来る。その折線引き部分も本の厚さにより予め調整しておくことが可能だ。
【０００７】
折れ線を引くには紙を押さえておく必要がある。その紙押さえにバネ付き蝶番を用い、普段は半開き状態で止まるようにしておけば、紙押さえに付いている弾力素材の先端部分が、表紙をアームとの間に差し込んだ時に紙を安定させる作用があり、更に紙押さえを働かせた状態から一部を押すことにより解除できる構造にすることにより効率良く作業を進めることができる。
【発明を実施するための最良の形態】
【０００８】
４本又は２本折線を同時に引くためだけのツールならボールポイントペンの芯状のものを一直線に並べれて固定すれば済む。然し本の厚さにより線を引く幅が変えられ、印刷されていない裏面から然もミリ単位で狂いもなく曲がらずに引けることが必要だ。針の位置が変えられるようにするために可動部分（５）を設け固定部分（２）と太い機械ネジで結び、そのネジにツマミ（６）を取り付け針の位置が変えられるようにした。それらの針も取り付け部分にネジを切り、取り外し及び長さの微調整が出来るようにした。その本体にハンドルを取り付け、そのハンドルを握って折線を引く。何も印刷がない裏側を見る為に、基礎台（７）にガイドライン（１１）を引いた透明部分（１０）と、それらが裏から見える位置に鏡（１２）を設置した。折線引き具（図１）を使い決めた位置に直線的に引くためのガイドとしてアームを２本設けることにより、その間をスライドするだけで自動的に真っ直ぐに決められた位置に折線が引ける。
【０００９】
台とアームの間に用紙を挟み込み易くするために台の一部を欠いた。スポンジ状の板を貼り付けた用紙押さえ（１４）の蝶番にはバネ付き（１７）を用い、必要以上に跳ね上がらないように凸部１（１９）を設け、その蝶番に近い部分を用い用紙を一時止めておける。押さえている状態を保つためにストッパー（２１）と凸部２（２０）を設け上から押さえつけると用紙が固定する。折線を引き終えた部分にある用紙押さえの先端を手前に押すと用紙押え用ストッパーが外れる。
【００１０】
用紙の折線位置を決め易くする為に鏡の位置角度を調節できるようにした。一度決めたら後は印刷し始めや特に正確を要する時以外は固定用紙止めに付いている可動用紙止め（９）で鏡を見なくても連続して同位置に決められる。
【図面の簡単な説明】
【００１１】
【図１】折線引き具本体の斜視図
【図２】台の基礎部分の斜視図
【図３】完成の斜視図
【図４】鏡による反対側から位置確認図
【図５】紙押さえ部分、説明断面図（押えを解除した場合）
【図６】紙押さえ部分、説明断面図（セットした場合）
【符号の説明】
【００１２】
１  ハンドル
２  折線引き具本体固定部分
３  本体固定部分の先が細く丸くなっている凸部
４  同じく可動部分の先が細く丸くなっている部分
５  可動部分
６  可動部分を可動させるためのツマミ
７  基礎台
８  用紙止め（固定）
９  用紙止め（可動）
１０  透明板
１１  位置決め用マーキング
１２  鏡
１３  アーム
１４  紙押さえ
１５  裏返しにおいた表紙（用紙）
１６  眼の位置
１７  バネ付き蝶番
１８  弾性素材板
１９  凸部１
２０  凸部２
２１  用紙押え用ストッパー
【図１】
2007181997.tif 000003
【図２】
2007181997.tif 000004
【図３】
2007181997.tif 000005
【図４】
2007181997.tif 000006
【図５】
2007181997.tif 000007
【図６】
2007181997.tif 000008